(57)【特許請求の範囲】
【請求項１】
ブックカバーの被覆用ならびに様々な種類の包装材料または物品の封止用機械であって、被覆される物品用の、単体またはロールから繰り出される柔軟なプラスチック材料のシートの載置に適した固定下部基台（１）と、前記基台（１）に向かって移動可能な上部部品（３）と、前記上部部品（３）に収容され、前記上部部品（３）を前記下部基台（１）に接近させると、前記物品の縁端に沿ったプラスチック材料シートの重なり合った端部の接合を実行する、加熱可能ブレード（７）と、を備える機械において、電気モータ（９）と、前記電気モータ（９）を動作させるために前記機械の外部からアクセス可能な制御部材（２０）と、前記上部部品（３）の側部（１１）に作用し、前記制御部材（２０）によって決定される前記電気モータ（９）の起動のたびに前記プラスチック材料シートの前記端部の接合を実行するために前記上部部品（３）の前記下部基台（１）への接近移動を生じさせる移動伝達手段（２１―２６）と、を備え、
さらに、前記移動伝達手段（２１―２６）は、前記上部部品（３）の一方の側部（１１）に収容され、前記電気モータ（９）によって駆動される小型キャプスタン（２１）、前記小型キャプスタン（２１）上に巻回可能な金属ケーブル（２２）、および前記下部基台（１）に収容され、前記下部基台（１）の内部の通路（２７）を通じて前記金属ケーブル（２２）を前記上部部品（３）の他方の側部（１１）に接続する伝達要素（２４―２５）、を備えることを特徴とする、機械。
【発明の詳細な説明】
【技術分野】
【０００１】
本発明は、ブックカバーの被覆ならびに様々な種類の包装材料および物品の封止用電動式機械に関する。
【背景技術】
【０００２】
単体で供給されるかまたは連続ロールから繰り出し可能で供給される柔軟なプラスチック材料の特別なシートを用いてブックカバーの作製と包装材料の封止をする機械が周知である。事業所、図書館、ステーショナリーショップなどに非常に適したこの種の機械が欧州特許第１４０４５２８（Ｂ１）号に記載されており、作業面と協働する熱接合アセンブリを備えている。このアセンブリは、柔軟なプラスチック材料のシートを載置するのに適した固定下部基台と、電気加熱されたブレードを用いて、本の縁端に沿ったプラスチック材料シートの重なり合った端部の接合を実行するべく前記基台に向かって移動可能な上部部品と、を備える。余分の材料はその後、除去される。
【０００３】
上述の機械では、前記上部部品の前記載置基台への接近は、前記上部部品の端部に当てられた一対のレバーを押し、それらを下向きに保持することによって、手動で行われる。
【０００４】
これでは、作業者は両手を同時に使うことになり、有用なはずの別の動作を同時に行うことが不可能となる。
【発明の概要】
【発明が解決しようとする課題】
【０００５】
本発明の目的は、ブックカバーの被覆用および様々な種類の物品の包装材料の封止用の機械であって、片手だけを使って簡単且つ迅速に操作でき、そのおかげで、作業者はもう一方の手でさらなる介入を自由に行える機械を製作することであった。
【課題を解決するための手段】
【０００６】
本発明によれば、上記の目的は、ブックカバーの被覆用ならびに様々な種類の包装材料または物品の封止用機械であって、被覆される物品用の、単体またはロールから繰り出される柔軟なプラスチック材料のシートの載置に適した固定下部基台と、前記基台に向かって移動可能な上部部品と、前記上部部品に収容され、前記上部部品を前記下部基台に接近させると、前記物品の縁端に沿ったプラスチック材料シートの重なり合った端部の接合を実行する、加熱可能ブレードと、を備える機械において、電気モータと、前記電気モータを動作させるために前記機械の外部からアクセス可能な制御部材と、前記上部部品の側部に作用し、前記制御部材によって決定される前記電気モータの起動のたびに前記プラスチック材料シートの前記端部の接合を実行するために前記上部部品の前記下部基台への接近移動を生じさせる移動伝達手段と、を備え、さらに、前記移動伝達手段は、前記上部部品の一方の側部に収容され、前記電気モータによって駆動される小型キャプスタン、前記小型キャプスタン上に巻回可能な金属ケーブル、および前記下部基台に収容され、前記下部基台の内部の通路を通じて前記金属ケーブルを前記上部部品の他方の側部に接続する伝達要素、を備えることを特徴とする、機械を用いて達成される。
【発明の効果】
【０００７】
このように、制御部材（例えばボタンまたはペダル操作式部材）に対する単純な介入だけで、所望の結果を得るのに十分であるため、作業者は両手を塞がれずにすむ。
【０００８】
本発明の特徴および利点はその実施形態の以下の詳細な説明から明らかになる。実施形態は以下の添付の図面において非限定例として示される。
【図面の簡単な説明】
【０００９】
【図１】図１は、本発明による物品の被覆用機械の、静止位置における斜視図である。
【図２】図２は、図１における機械の上方からの平面図である。
【図３】図３は、図１における機械の、カバーを取り外した状態の下方からの平面図である。
【図４】図４は、図２における機械の、線IV−IVに沿った断面図である。
【図５】図５は、図２における機械１の、線V−Vに沿った断面図である。
【図６】図６は、図３における機械の、線VI−VIに沿った断面図である。
【図７】図７は、図３における機械の、線VII−VIIに沿った断面図である。
【発明を実施するための形態】
【００１０】
図面は、本またはその他の物品を柔軟なプラスチック材料のシートで被覆するための本発明による機械を示す。
【００１１】
図１、２および３に示される機械は、物品の被覆または封止に用いられる、単体またはロールから繰り出し可能なシートのための載置面２を画定する下部基台１と、静止位置を始点として前記基台に向かって移動可能な上部部品３と、を備える。上部部品３は、基台１および上部部品３のそれぞれの端部間に介在した一対のらせんばね４によって静止位置の方へ付勢されている（図４〜７）。
【００１２】
下部基台１は折り畳み可能な延長部５を提供する。延長部５は、被覆作業を容易にすると同時に、非使用時に機械の体積をより小さくすることを可能にする。基台１は、上部部品３に近接して、容器６も提供する（図３）。容器６は取り外し可能なカバーによって閉鎖され、その内部には２つの電気モータ８および９ならびに電気回路１０が収容されている。
【００１３】
上部部品３は、横材１２によって接続された２つの側部１１から成る。基台１と上部部品３との間に画定される空間１３は、物品を横材１２の前部に当接させつつ、接合するプラスチックシート端部の導入を可能にする。
【００１４】
横材１２は、基台１に拘束された固定対向ブレード１４と協働し、電気回路１０を通じて給電される電気抵抗（不図示）を用いて加熱可能な接合ブレード７を保持している。
【００１５】
横材１２は、電気モータ８によって、駆動輪１６およびベルト１７を備える移動伝達システムを用いて回転動作可能なゴムローラ１５も保持している。上部部品３を基台１に近づけると、ゴムローラ１５は、基台１によって自由枢動可能に保持されたアイドルローラ１８と協働する。
【００１６】
上部部品３の基台１への接近は、側部１１の延長部１９に作用したり、または上部部品３の上方に配置され、電気回路１０に接続された電気ボタン２０を押したりすることによって、手動で強制されてもよいし、あるいは先と同様に、同じく電気回路１０に接続されたペダル操作式制御装置（不図示）を用いて強制されてもよい。
【００１７】
最後の２つの場合では、電気モータ９に電気制御が与えられ、電気モータ９は、上部部品３の側部１１に近接して配置されたキャプスタン２１に、その上に金属ケーブル２２を巻回するように作用する。金属ケーブル２２は、上部部品３の側部１１上に配置されたアイドルリターン２３ならびに基台１の下方の部分の端部に配置された２つのアイドルリターン２４および２５を通り、基台１の幅の端から端まで進んだ後、他方の側部１１の固定点２６に結合している（図３〜５）。
【００１８】
従って、図面に示されている機械は以下のように動作する。
【００１９】
基台１および延長部５によって画定される載置平面の上方に被覆または封止シートが物品とともに挿入配置されると、余分のシート端部は空間１３内に挿入され、一方、物品は横材１２の前部に付き当てて配置される。電気ボタン２０を押すことによって（または代わりにペダル操作式電気制御に作用することによって）、電気回路１０は、金属ケーブル２２をキャプスタン２１上に巻回する操作を行うようにモータ９を制御する。すると、それに続き、側部１１、従って上部部品３全体が下部基台１へと接近する動作が起こる。
【００２０】
次に、電気的に温められた接合ブレード７が、物品の被覆シートの余分の端部を介在させて対向ブレード１４と係合し、その結果、物品の縁端に沿った端部の接合を誘起する。
【００２１】
その直後、電気抵抗の通電は切られ、電気モータ８は、接合線を越えたプラスチックシート端部を除去するべく協働ローラ１８とともに動作するようにゴムローラ１５を制御する。
【符号の説明】
【００２２】
１  固定下部基台
３  上部部品
７  加熱可能ブレード
９  電気モータ
１１  側部
２０  制御部材
２１  小型キャプスタン
２１−２６  移動伝達手段
２２  金属ケーブル
２４−２５  伝達要素
２７  通路
【図１】
0005989659.tif 000002
【図２】
0005989659.tif 000003
【図３】
0005989659.tif 000004
【図４】
0005989659.tif 000005
【図５】
0005989659.tif 000006
【図６】
0005989659.tif 000007
【図７】
0005989659.tif 000008